(57)【特許請求の範囲】
【請求項１】
放射線撮影による検診の受診者の検査画像を表示手段に表示制御する画像表示制御装置であって、
前記表示手段に複数の領域を設定する領域設定手段と、
受診者が所定期間をおいて受診した複数回の検査から、前記複数の領域にそれぞれ表示する検査画像の検査を割り当てる領域割り当て手段と、
前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御手段とを有することを特徴とする画像表示制御装置。
【請求項２】
前記表示制御手段により検査画像を表示しない制御を行っているときに、画像表示切り替えを指示する指示手段を更に有し、
前記表示制御手段は、前記指示手段の指示に基づき、前記検査画像が存在しない検査より昔の検査で且つ最も新しい検査の検査画像を、検査画像が表示されていない表示領域に表示することを特徴とする請求項１記載の画像表示制御装置。
【請求項３】
前記表示制御手段は、割り当てられた検査の検査画像ではないことを示す文字或いは記号と共に表示することを特徴とする請求項２記載の画像表示制御装置。
【請求項４】
前記表示制御手段は、前記表示手段の前記複数の領域に表示されている検査画像以外に、それ以前の未表示の検査画像が存在する場合、前記未表示の検査画像が存在する旨を文字或いは記号で表示する制御を行うことを特徴とする請求項１記載の画像表示制御装置。
【請求項５】
放射線撮影による検診の受診者の検査画像を表示手段に表示制御する情報処理装置と、読取装置と、書込装置とを備えた集団検診システムであって、
前記情報処理装置は、前記表示手段に複数の領域を設定する領域設定手段と、受診者が所定期間をおいて受診した複数回の検査から、前記複数の領域にそれぞれ表示する検査画像の検査を割り当てる領域割り当て手段と、前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御手段と、検査画像データの複製が可能な記憶手段とを有し、
前記読取装置は、検査画像データが記憶された記憶媒体から検査画像データの読み取りを行うと共に、読み取った検査画像データを前記情報処理装置の前記記憶手段へ転送する機能を有し、
前記書込装置は、前記情報処理装置の前記記憶手段から転送された件差画像データを記憶媒体に書き込む機能を有することを特徴とする集団検診システム。
【請求項６】
放射線撮影による検診の受診者の検査画像を表示手段に表示制御する画像表示制御装置に適用される画像表示方法であって、
前記表示手段に複数の領域を設定する領域設定工程と、
受診者が所定期間をおいて受診した複数回の検査から、前記複数の領域にそれぞれ表示する検査画像の検査を割り当てる領域割り当て工程と、
前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御工程とを有することを特徴とする画像表示方法。
【請求項７】
放射線撮影による検診の受診者の検査画像を表示手段に表示制御する画像表示制御装置に適用される画像表示方法を記憶したコンピュータにより読み出し可能な記憶媒体であって、
前記画像表示方法は、
前記表示手段に複数の領域を設定する領域設定ステップと、
受診者が所定期間をおいて受診した複数回の検査から、前記複数の領域にそれぞれ表示する検査画像の検査を割り当てる領域割り当てステップと、
前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御ステップとを有することを特徴とする記憶媒体。
【発明の詳細な説明】
【０００１】
【発明の属する技術分野】
本発明は、画像表示制御装置、集団検診システム、画像表示方法及び記憶媒体に関し、特に、集団検診における過去の検査データを参照しながら今回の検査データを読影する場合に好適な画像表示制御装置、集団検診システム、画像表示方法及び記憶媒体に関する。
【０００２】
【従来の技術】
近年のコンピュータの発展に伴い、医用分野においてもコンピュータ化が浸透してきた。画像診断の分野においてもこの流れが急であり、各種ＣＴや超音波診断機器、ラジオアイソトープを用いた診断機器などの普及には目をみはるものがある。また、固体撮像素子等を用いたＸ線撮影が開発されてきており、Ｘ線画像においてもコンピュータを用いたＸ線デジタル画像読取撮影が徐々に始まってきている。
【０００３】
集団検診システムでも例外ではない。従来は、ロールフィルムと呼ばれるフィルムに１０ｃｍ×１０ｃｍ程度の胸部画像をＸ線間接撮影装置を用いて撮影しており、読影者は、ロールフィルムをレンズで拡大して、順次、電動こま送り装置を用いて読影している。この集団検診システムにおいてもデジタル化の波が徐々に始まり、医師の行う読影においてもモニタを用いて読影をすることが徐々に始まってきている。
【０００４】
集団検診システム、特に検診用バスに搭載された集団検診システムにおいては、撮影した画像は一度、可搬記録媒体に書き込んで、検診センターへ持ち帰り、画像を診断している。この場合、特徴としてあげられることは、過去に撮影した画像も比較して読影できることが大きなメリットである。
【０００５】
このように、可搬記録媒体でモニタ診断する際には、今回撮影された検査画像データ、前回撮影された検査画像データ、前々回撮影された検査画像データとが互いに混じり合う。そこで、画像取得データの画像撮影日をモニタ上に表示して、読影者が、表示されている画像がいつ撮影した画像であるかを分かる方法が従来よりある。
【０００６】
【発明が解決しようとする課題】
しかしながら、上記従来例においては次のような問題があった。各受診者それぞれの検査に関してモニタで画像表示を行う際に、例えば受診者に対して行った２つの検査データを表示したい場合、モニタ上に画像撮影日を表示する手法のみ用いると、前回のデータが受診者が受診しなかった等の理由で欠損していた場合は、前々回のデータがモニタ上に表示されてしまう。この場合、過去に撮影した画像分の画像撮影日は確かに２回前の日付なのであるが、読影は高速で行われるために、診断においては前回のデータであると誤って考えてしまうという弊害があった。
【０００７】
例えば図１６に示す通り、新しさの順に、新しいものから２つの画像を表示するというルールのみでは、一般に左側に９８年のデータ、右側に９７年のデータとして並んで表示されるが、受診者によって９７年の撮影が無い場合は、右側に９６年のデータが表示されてしまうことがある。しかし、医師は瞬時に診断を行わなければならないため、右側のデータがいつ撮影したものか分かりにくいという問題があった。
【０００８】
本発明は、上述した点に鑑みなされたものであり、読影の際に、モニタに表示されている画像がいつ撮影されたものか、もしくは前回は撮影が行われなかったのかなどを瞬時に判断でき、診断効率を向上させることを可能とした画像表示制御装置、集団検診システム、画像表示方法及び記憶媒体を提供することを目的とする。
【０００９】
【課題を解決するための手段】
上記目的を達成するため、本発明の画像表示制御装置は、放射線撮影による検診の受診者の検査画像を表示手段に表示制御する画像表示制御装置であって、前記表示手段に複数の領域を設定する領域設定手段と、受診者が所定期間をおいて受診した複数回の検査から、前記複数の領域にそれぞれ表示する検査画像の検査を割り当てる領域割り当て手段と、前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御手段とを有することを特徴とする。
【００１５】
また、本発明の集団検診システムは、放射線撮影による検診の受診者の検査画像を表示手段に表示制御する情報処理装置と、読取装置と、書込装置とを備えた集団検診システムであって、前記情報処理装置は、前記表示手段に複数の領域を設定する領域設定手段と、受診者が所定期間をおいて受診した複数回の検査から、前記複数の領域にそれぞれ表示する検査画像の検査を割り当てる領域割り当て手段と、前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御手段と、検査画像データの複製が可能な記憶手段とを有し、前記読取装置は、検査画像データが記憶された記憶媒体から検査画像データの読み取りを行うと共に、読み取った検査画像データを前記情報処理装置の前記記憶手段へ転送する機能を有し、前記書込装置は、前記情報処理装置の前記記憶手段から転送された件差画像データを記憶媒体に書き込む機能を有することを特徴とする。
【００２１】
更に、本発明の画像表示方法は、放射線撮影による検診の受診者の検査画像を表示手段に表示制御する画像表示制御装置に適用される画像表示方法であって、前記表示手段に複数の領域を設定する領域設定工程と、受診者が所定期間をおいて受診した複数回の検査から、前記複数の領域にそれぞれ表示する検査画像の検査を割り当てる領域割り当て工程と、前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御工程とを有することを特徴とする。
【００２７】
また、本発明の記憶媒体は、放射線撮影による検診の受診者の検査画像を表示手段に表示制御する画像表示制御装置に適用される画像表示方法を記憶したコンピュータにより読み出し可能な記憶媒体であって、前記画像表示方法は、前記表示手段に複数の領域を設定する領域設定ステップと、受診者が所定期間をおいて受診した複数回の検査から、前記複数の領域にそれぞれ表示する検査画像の検査を割り当てる領域割り当てステップと、前記割り当てられた検査に関する検査画像が存在する場合は、当該検査画像を該当する割り当てられた領域に表示し、前記割り当てられた検査に関する検査画像が存在しない場合は、当該検査が割り当てられた領域に検査画像を表示しない制御を行う表示制御ステップとを有することを特徴とする。
【００３３】
【発明の実施の形態】
以下、本発明の実施の形態を図面に基づいて詳細に説明する。
【００３４】
図１は本発明の実施の形態に係る集団検診システムの構成を示す概念図である。本発明の実施の形態に係る集団検診システムは、内部ハードディスク（ＨＤ）１４を装備した診断用ワークステーション（ＷＳ）１（情報処理装置）、ＭＯ読取装置２（読取装置）、ＣＤ−Ｒ読取／書込装置３（読取装置、書込装置）から大略構成されている。図中４はＭＯ（Magnet Optical）ディスク（光磁気ディスク、以下ＭＯ）、５は前回の撮影画像データ記憶用のＣＤ−Ｒ（Conpact Disk Recordable）、６は内部ＨＤ１４のデータ書き出し用のＣＤ−Ｒである。
【００３５】
上記構成を詳述すると、診断用ＷＳ１は、後述の図２に示す構成を有するワークステーションであり、集団検診システム全体を制御する。ＭＯ読取装置２は、ＭＯ４に記憶されている撮影画像データを読み取る。ＣＤ−Ｒ読取／書込装置３は、ＣＤ−Ｒ５に記憶されている前回検診分の画像データの読み取りや、ＣＤ−Ｒ６に対する内部ＨＤ１４に蓄積されている画像データの書き込みを行う。
【００３６】
更に詳述すると、本集団検診システムの全体のワークフローは、操作者が撮影装置（図示略）に付随するＭＯ４に対し今回の撮影画像データを書込装置（図示略）により書き込み、ＭＯ読取装置２を介して診断用ＷＳ１へと読み込ませる。即ち、診断用ＷＳ１は、診断用ＷＳ１に付随するＭＯ読取装置２により読み取られたＭＯ４内の今回の撮影画像データを内部ＨＤ１４へと複製する。また、検診を行う画像データの比較を行うために、前回分の撮影画像データは既にＣＤ−Ｒ５に記憶されているのであるが、このＣＤ−Ｒ５に記憶された前回の撮影画像データを診断用ＷＳ１に付随するＣＤ−Ｒ読取／書込装置３により読み込ませて、前回の撮影画像データを内部ＨＤ１４へと複製する。
【００３７】
上記のように、今回の撮影画像データ、前回の撮影画像データを診断用ＷＳ１を用いて内部ＨＤ１４に記憶せしめた後、今回受診した受診者の今回の撮影画像データ、前回の撮影画像データをマッチング処理して結びつけ、操作者、例えば医師などは、診断用ＷＳ１のモニタに今回撮影画像データ、前回撮影画像データを同時に表示させることにより、モニタ診断を行う。診断が終了すると、内部ＨＤ１４に蓄積された今回撮影画像データをＣＤ−Ｒ６へと書き出すことで、全体のワークフローが終了する。
【００３８】
図２は本発明の実施の形態に係る集団検診システムの構成を示すブロック図である。本発明の実施の形態に係る集団検診システムは、上記図１に示した如く、診断用ＷＳ１、ＭＯ読取装置２、ＣＤ−Ｒ読取／書込装置３から大略構成されており、診断用ＷＳ１は、制御部１１（領域割り当て手段、表示制御手段）、ＲＯＭ１２、ＲＡＭ１３、内部ＨＤ１４（記憶手段）、モニタ１５（表示手段）、キーボード１６（切り替え手段）、インタフェース部１７、インタフェース部１８を備えている。
【００３９】
上記構成を詳述すると、診断用ＷＳ１において、制御部１１は、集団検診システム全体の制御を司るものであり、後述の図５〜図７（画像データ複製処理）、図８〜図９（ＭＯデータ消去処理）、図１１（検査序数決定処理）の各フローチャートを実行する。ＲＯＭ１２は、プログラムや固定データを格納する。ＲＡＭ１３は、制御部１１の作業領域やデータの一時記憶領域等として使用される。内部ＨＤ１４には、上述したように撮影画像データが複製される。モニタ１５は、制御部１５の制御に基づき後述の図１２、図１３に示すような画像を表示する。キーボード１６は、後述の画像表示方法切り替え指示などの各種指示やデータ入力に用いる。インタフェース部１７は、ＭＯ読取装置２との間のインタフェースを司る。インタフェース部１８は、ＣＤ−Ｒ読取／書込装置３との間のインタフェースを司る。
【００４０】
次に、上記の如く構成された本発明の実施の形態に係る集団検診システムにおける各種処理について上記図１〜図２並びに図３〜図１３を参照しながら詳細に説明する。
【００４１】
図３〜図４は本発明の実施の形態に係る画像データの複製に注目して記載した説明図である。本発明の実施の形態では、集団検診システムが搭載された検診バスは、検診実施事業所として例えばキヤノンから日立へと検診業務を行ってきており、キヤノンにおいては２枚のＭＯに、また、日立においては１枚のＭＯに、検診業務に関する画像がそれぞれ記憶されているものと想定する。
【００４２】
本例における画像は、各受診者に対し例えば２枚ずつ撮影を行って得られた画像であり、２枚一組で１データセットとなる。ＭＯの１枚目には、キヤノンに対する検診の撮影画像データの一部である「１９９８０７０１−Ｃａｎｏｎ−１」という名称を持つ、セットフォルダと呼ばれるデータセットを複数保持できるフォルダがある。このフォルダには６４０個のデータセットを持つ。また、ＭＯの２枚目には、キヤノンに対する検診の撮影画像データの一部である「１９９８０７０１−Ｃａｎｏｎ−２」という名称を持つセットフォルダがあり、このセットフォルダも６４０個のデータセットを持っている。
【００４３】
更に、ＭＯの３枚目には、日立に対する検診の撮影画像データである「１９９８０７０３−Ｈｉｔａｃｈｉ−１」なるセットフォルダがあり、このセットフォルダには４００個のデータセットがある。各データセットは１ＭＢのデータ容量であり、ＭＯにおいては６４０ＭＢまで入るため、キヤノンに対する検診の撮影画像データとして６４０のデータセットが入っている所以である。
【００４４】
さて、このＭＯ内の撮影画像データを順次、ＭＯ読取装置２を介して診断用ＷＳ１の内部ＨＤ１４へとデータ複製を行っていく。診断用ＷＳ１の内部ＨＤ１４の内部には、複製された撮影画像データが容易にＣＤ−Ｒへと再び複製できるように、最大容量がＣＤ−Ｒサイズに制限された分類フォルダと呼ばれるフォルダが生成される。この分類フォルダは、診断用ＷＳ１がユニークに名称設定を行う。本発明の実施の形態では、シーケンシャル番号を文字Ｄの後に振っていく。本発明の実施の形態では、分類フォルダの最大容量はＣＤ−Ｒサイズに合わせて決められており、５００ＭＢとなっている。
【００４５】
本発明の実施の形態では、ＭＯに記憶されている「１９９８０７０１−Ｃａｎｏｎ−１」、「１９９８０７０１−Ｃａｎｏｎ−２」のセットフォルダは、３つの分類フォルダ「Ｄ１２３１」、「Ｄ１２３２」、「Ｄ１２３３」に分割され、それぞれの分類フォルダに、互いに異なる名称である「１９９８０７０１−Ｃａｎｏｎ−１」、「１９９８０７０１−Ｃａｎｏｎ−２」、「１９９８０７０１−Ｃａｎｏｎ−３」と呼ばれるセットフォルダが生成され、「１９９８０７０１−Ｃａｎｏｎ−１」には「検査０００１」から「検査０５００」までのデータセットが、「１９９８０７０１−Ｃａｎｏｎ−２」には「検査０５０１」から「検査１０００」までのデータセットが、「１９９８０７０１−Ｃａｎｏｎ−３」には「検査１００１」から「検査１２８０」までのデータセットが複製される。
【００４６】
更に、ＭＯに記憶されている「１９９８０７０３−Ｈｉｔａｃｈｉ−１」のセットフォルダは、分類フォルダ「Ｄ１２３３」が本例では２２０ＭＢほど余りがあるために、分類フォルダ「Ｄ１２３３」へと先ず２２０個のデータセットが複製されて、残りのデータセットは同様な方法で分類フォルダ「Ｄ１２３４」が新規生成されて、ここに記憶される。
【００４７】
図５〜図７は本発明の実施の形態に係る上記画像データ複製に関するフローチャートである。今、簡単のため、ＭＯ１の複製を終わりＭＯ２に関する複製を開始すると想定して説明を行う。Ｎｅｗフォルダ内において、分類フォルダＤ１２３１には、既にＭＯ１の内容が複製されて且つＦｕｌｌＦｌａｇが設定されており、また、分類フォルダＤ１２３２にも、既にＭＯ１の内容が「検査６４０」まで複製されている。但し、分類フォルダＤ１２３２は最大容量までデータを保持していないため、ＦｕｌｌＦｌａｇは設定されていない。
【００４８】
ちなみに、本発明の実施の形態では、ＦｕｌｌＦｌａｇは、分類フォルダ内にＦｕｌｌ．ｄａｔなる中身の無いファイルがあるか否かで決めている。また、診断済みを示すＤｉａｇｎｏｓｉｓＦｌａｇは、Ｄｉａｇ．ｄａｔ、また、ＣＤ−Ｒへの複製済みを示すＣＤ−ＷｒｉｔｔｅｎＦｌａｇは、ｗｒｉｔｔｅｎ．ｄａｔの存在の有る無しで決定している。
【００４９】
ステップＳ３０１において、ＭＯ内の検索の結果、
ＤＡＴＥ＝１９９８０７０１
ＮＡＭＥ＝Ｃａｎｏｎ
であり、診断用ＷＳ１の内部ＨＤ１４のＮｅｗフォルダの検索の結果、
ｎ＿ｅｎｄ＝１２３２
となる。
【００５０】
ステップＳ３０２において、Ｎｅｗフォルダ内の全分類フォルダ、即ち、分類フォルダＤ１２３１、分類フォルダＤ１２３２内の「ＤＡＴＥ−ＮＡＭＥ−ｎｕｍ」形式のセットフォルダ、本例では「１９９８０７０１−Ｃａｎｏｎ」で始まるセットフォルダを調べると、ｎｕｍの値が最も大きいものは２である。即ち、
ｎ＿ｎａｍｅ＝２
となる。
【００５１】
ステップＳ３０３において、分類フォルダＤｎ＿ｅｎｄ、即ち、分類フォルダＤ１２３２をＮｅｗフォルダから検索する。分類フォルダＤ１２３２は存在するので、検索される。ちなみに、ここで、分類フォルダが診断用ＷＳ１の内部ＨＤ１４に全く無い場合を想定すると、上記ステップＳ３０１の処理で、ｎ＿ｅｎｄ値を００００に設定するので、分類フォルダＤ００００を検索することになり、ステップＳ３０４にて、分類フォルダＤ０００１を新規作成することになる。
【００５２】
ステップＳ３０５において、分類フォルダＤ１２３２は、ＦｕｌｌＦｌａｇもしくはＤｉａｇｎｏｓｉｓＦｌａｇが設定されていないので、分類フォルダＤ１２３２内にて「ＤＡＴＥ−ＮＡＭＥ−ｎ＿ｎａｍｅ」のフォルダ、本例では「１９９８０７０１−Ｃａｎｏｎ−２」のセットフォルダを検索する。分類フォルダＤ１２３２では、ＭＯ１から複製を行ったときにできたこの名前のフォルダが存在するため、検索は成功する。
【００５３】
ステップＳ３０７において、ＭＯ２内のセットフォルダ「１９９８０７０１−Ｃａｎｏｎ−２」の内部のデータセットである検査フォルダを検査番号の若い方から、診断用ＷＳ１の内部ＨＤ１４内のＮｅｗフォルダ内の分類フォルダ「Ｄ１２３２」内のセットフォルダ「１９９８０７０１−Ｃａｎｏｎ−２」へ、分類フォルダの容量が５００ＭＢとなるまで複製する。従って、「検査６５１」から「検査１０００」までが分類フォルダ「Ｄ１２３２」へ保存される。
【００５４】
ステップＳ３０８において、コピー元のＭＯ２内のセットフォルダ「１９９８０７０１−Ｃａｎｏｎ−２」の内部のデータセットである検査フォルダ群は、全て複製できていないので、ステップＳ３０９へ進む。ステップＳ３０９において、分類フォルダ「Ｄ１２３２」は、データを最大容量まで保持したので、ＦｕｌｌＦｌａｇを設定する。ステップＳ３１０において、コピー元のＭＯ２内のセットフォルダ「１９９８０７０１−Ｃａｎｏｎ−２」の未コピー検査としては、「検査１００１」から「検査１２８０」まであるので、それを対象に複製作業を再び開始することとする。
【００５５】
上記ステップＳ３０４に戻り、ｎ＿ｅｎｄとしては１２３２の値を保持しているので、１を加えて、分類フォルダ「Ｄ１２３３」を新規作成する。また、ｎ＿ｎａｍｅとしては２の値を保持しているので、１を加えて、セットフォルダ「１９９８０７０１−Ｃａｎｏｎ−３」を新規作成した後、上記ステップＳ３０７に示す処理に戻る。
【００５６】
ＭＯからの複製を全て終了したときに、丁度、複製先の分類フォルダも容量一杯となった場合は、次のＭＯの複製は、上記ステップＳ３０５においてＦｕｌｌＦｌａｇが設定されていることになるので、上記ステップＳ３０４の処理に移行する。
【００５７】
このように、Ｎｅｗフォルダに移動されたキヤノンの１２８０検査分の画像と、日立の４００検査分の画像は、全ての検査の読影を終了すると、それぞれの分類フォルダ内にＤｉａｇｎｏｓｉｓＦｌａｇを設定する。診断する際のシステム挙動は以下に更に詳しく述べるが、診断完了はこの設定が存在することで、読影完了したとみなす。
【００５８】
診断が完了すると、操作者の指示により、集団検診システムの診断用ＷＳ１は、Ｎｅｗフォルダ内部の分類フォルダを検索して、ＤｉａｇｎｏｓｉｓＦｌａｇが設定されている分類フォルダをＣＤ−Ｒ読取／書込装置３を介してＣＤ−Ｒへ複製する。この時、分類フォルダはＣＤ−Ｒが許容できる容量の５００ＭＢとなっているために、分類フォルダ単位で複製できるので、複製しきれないという問題は発生しないということが重要である。また、複製を完了すると、その分類フォルダにＣＤ−ＷｒｉｔｔｅｎＦｌａｇを設定する。図５〜図７において、複製が完了したＭＯ２内の「１９９８０７０１−Ｃａｎｏｎ−２」にはＣｏｐｉｅｄＦｌａｇを立てる。
【００５９】
さて、複製元のＭＯに記憶されている情報は、確実にＣＤ−Ｒに記憶され場合にのみ、ＭＯの記憶内容を消去する手段を設けることが重要である。これが行われないと、利用者が、誤って画像データを診断用ＷＳ１の内部ＨＤ１４に複製しなかった場合、画像データが消去されてしまう可能性がある。
【００６０】
そこで、確実に複製を行う問題に関して図８〜図９に基づき説明する。図８〜図９は本発明の実施の形態に係るＭＯデータ消去処理を示すフローチャートである。ここでは説明を簡単にするために、上記図３〜図４におけるＭＯ２の情報を消去することを想定する。
【００６１】
ステップＳ４０１において、ＭＯ内のフォルダを検索すると、１９９８０７０１−Ｃａｎｏｎ−１が検索される。ステップＳ４０２において、検索対象は、Ｎｅｗフォルダ内部の１９９８０７０１−Ｃａｎｏｎで始まるフォルダである。このフォルダは、分類フォルダＤ１２３１、Ｄ１２３２、Ｄ１２３３内に存在するので、これら３つの分類フォルダに関して、ＣＤ−ＷｒｉｔｔｅｎＦｌａｇが設定されているか否か確認する。
【００６２】
ステップＳ４０３において、１９９８０７０１−Ｃａｎｏｎで始まるフォルダが全く見当たらない場合は、後に説明する自動削除機能が働いたためであるので、ステップＳ４０５へ進む。ステップＳ４０４は、１９９８０７０１−Ｃａｎｏｎで始まるフォルダが存在した場合の処理であり、全てのＣＤ−ＷｒｉｔｔｅｎＦｌａｇが設定されている場合は、ステップＳ４０６へ進む。ＣＤ−ＷｒｉｔｔｅｎＦｌａｇが設定されていない場合は、まだＣＤ−Ｒへのデータの書き込みが行われていないため、ステップＳ４０７において、先ずＣＤ−Ｒにデータを複製することをユーザに知らせ、ＭＯ内のデータの消去は行わない。
【００６３】
ステップＳ４０５においては、上記ステップＳ４０３の判断でＮＯとなった場合に、重要なチェックを行う。即ち、自動削除機能が働いた場合、Ｎｅｗフォルダには複製元のデータは見当たらないので、複製元であるＭＯのセットフォルダにあるＣｏｐｉｅｄＦｌａｇの設定をチェックする。この設定がなされていない場合は、未だ診断用ＷＳ１の内部ＨＤ１４へはデータ複製作業が行われていないため、ＭＯ内のデータは新規検査データであり、ＭＯ内のデータを消去することはない。ステップＳ４０６においては、ＭＯ内のデータを消去する。
【００６４】
上記のように、本発明の実施の形態においては、ＮｅｗフォルダにあるＣＤ−ＷｒｉｔｔｅｎＦｌａｇが設定されているセットフォルダは、ＭＯ内のデータを安全に消去することができる。
【００６５】
上述した診断用ＷＳ１のデータ複製機能を用いて、新たなデータはＭＯでＮｅｗフォルダへ複製され、古いデータはＣＤ−ＲでＯｌｄフォルダへ複製される。本集団検診システムにおいては、今回撮影した画像を過去に撮影した画像と同時にモニタ１５に表示して比較診断することに特徴がある。そのため、今回検査された受診者と同じ受診者の検査を過去の検査から検索する。この方法は、全ての今回の検査データが有する受診者ＩＤと同じＩＤを有する過去の検査データを探すことで完了する。
【００６６】
本発明の実施の形態の集団検診システムは、例えば、今回の検査データに対する過去の検査データとして、前回検査データ、前々回検査データの２データまでさかのぼって参照するシステムであるが、この場合、同じ受診者の過去の検査データに対する検索の結果、或る受診者については過去の検査データが０件見つかり、或る受診者については過去の検査データが２件見つかるケースがある。これは、必ずしも同じ受診者が毎回検査を受けていないケースが考えられるためである。
【００６７】
このようなケースが存在する場合において、今回の検査画像と過去の検査画像のうち、最も最近の検査画像を診断用ＷＳ１のモニタ１５上に一律に左右に並べて表示すると、読影する医師は、比較対象として１回前のデータを見ているのか、それとも２回前のデータを見ているのか瞬時に判定できなくなる。
【００６８】
例えば、今回の検査が９８年、前回の検査が９７年とすると、両方検査を受けた受診者については、図１６のようにモニタ１５の左側に９８年の検査画像、右側に９７年の検査画像を表示できるが、一部の受診者においては、９７年に検査を受けなかったとすると、モニタ１５の右側には例えば９６年の検査画像が表示されてしまう。これは、検査画像の読影数が多いためにモニタ１５を忙しく参照している医師にとっては、９６年の検査画像を誤って前回（９７年）の検査画像と判断し、９８年の検査画像との比較読影を行ってしまう。そこで、モニタ１５上の表示データは何回前のデータであるかを指定する必要がある。
【００６９】
本発明の実施の形態においては、検査が比較的定期的に行われることに注目し、何年の検査から何年の検査までを対象とするといったように範囲設定をすることで、過去の検査画像が何回前の検査画像であるかを決定することが特徴であるので、以下その説明を行う。ここで、何回前の昔の検査であるかを示す序数を検査序数と呼び、検査序数が１ならば１回前の検査であるということとする。
【００７０】
図１０は本発明の実施の形態に係る検査序数決定方法を示す概念図である。本発明の実施の形態では、今回の検査を１９９８年７月１０日に行ったものとする。その時、オフセット日数として６ケ月を設定し、検査期間を１２ケ月として指定すると、
・１９９８年１月１０日より前の検査であり、１９９７年１月１０日以降の検査を検査序数１
・１９９７年１月１０日より前の検査であり、１９９６年１月１０日以降の検査を検査序数２
として、予め指定された最大序数まで検査をする。
【００７１】
図１１は本発明の実施の形態に係る検査序数決定処理を示すフローチャートである。ここで、先ず、本発明の実施の形態では、上記図３〜図４のようにＯｌｄフォルダに入っている過去の検査画像は、今回の検査画像と関連付けが行われており、今回の検査と前回までの検査群は関連付けが行われている。そこで、前回までの検査群の一つ一つの検査に対して、検査序数を設定していく作業が必要となる。従って、先ず前回までの検査群のうち一つ目の検査を対象に、図１１のフローチャートを実行する。
【００７２】
先ず、ステップＳ５０１において、ベース検査日の設定を行う。本発明の実施の形態では、ベース検査日の設定に関しては、上記図３〜図４のようにＮｅｗフォルダ内の全ての分類フォルダのＣａｎｏｎに関するセットフォルダについてのみ、検査を行おうとする。この場合、ベース検査日は、セットフォルダ名より１９９８年７月１日となる。
【００７３】
ところが、Ｃａｎｏｎに関する検査が数日に分かれていた場合は、本発明の実施の形態では２通りのベース検査日の指定が可能となっている。一つは、Ｃａｎｏｎに関する検査数の最も多い検査日をベース検査日とする場合であり、もう一つは、Ｃａｎｏｎに関する検査で最も古い検査日をベース検査日とする場合である。このベース検査日は、図１１のフローチャート実行前に予め設定しておいてもよい。
【００７４】
次に、ステップＳ５０２において、ｏｆｆｓｅｔの指定（月）を行うと共に、検査序数Ｎ＝０とする。次に、ステップＳ５０３において、検査期間Ｙの設定を行う。次に、ステップＳ５０４において、対象とする検査の検査日が、ベース検査日からさかのぼって（Ｎ×Ｙ＋ｏｆｆｓｅｔ）月より昔で（（Ｎ＋１）×Ｙ＋ｏｆｆｓｅｔ）月以降であるかをチェックする。
【００７５】
上記の期間に、今調べている検査が入っていた場合は、ステップＳ５０５の判断でＴＲＵＥとなり、Ｎがこの検査に対する検査序数となり、ステップＳ５０６において、対象検査の検査画像はＮ回前の検査画像とする。ステップＳ５０５の判断でＴＲＵＥでない場合は、ステップＳ５０８において、Ｎが最大値となるまで図１１のループが繰り返される。この場合、実際は最大値は例えば９９９などの現実的でない値を設定してある。
【００７６】
上記のようにして、特定の受診者について実施された過去の検査群の全てに対して検査序数が設定される。この検査序数の設定は、或る受診者に関する検査画像を診断用ＷＳ１のモニタ１５に表示する時の直前に行ってもよいし、検査を始める前に予め全ての今回の検査に対して行っておいてもよい。
【００７７】
さて、上記のように、特定の受診者について実施された過去の検査群の全てに対して検査序数が設定されると、その検査画像を診断用ＷＳ１のモニタ１５に表示する場合において特徴ある表示を行うことが可能となる。
【００７８】
即ち、上述したように、従来例では、例えば今回の検査を９８年、前回の検査を９７年とすると、両方の検査を受けた受診者に関する検査画像は図１６のように表示できるが、一部の受診者においては、９７年に検査を受けなかったとすると、モニタ１５の右側には例えば９６年の検査画像が表示されてしまう。これは、検査画像の読影数が多いためにモニタ１５を忙しく参照している医師にとっては、９６年の検査画像を誤って前回（９７年）の検査画像と判断し、９８年の検査画像との比較読影を行ってしまう。
【００７９】
しかし、本発明の実施の形態では、上述したように、何回前の昔の検査であるかを示す検査序数を設定できるため、上記のように特定の受診者について実施された過去の検査群の全てに対して検査序数が設定されると、その検査画像の表示において特徴ある表示を行うことが可能となる。
【００８０】
図１２は本発明の実施の形態に係る今回、前回検査表示方法１を示す説明図である。受診者である「辻井修」氏の検査は、９８年と、９６年と、９５年と、９２年に受診して検査されたと想定する。この時、図１２の左側の表示例は、診断用ＷＳ１のモニタ１５の領域を左右２つに分け、左側を９８年用、右側を９７年用として利用する。この際に、９７年にはこの受診者は受診していないため、「９７年画像無」と表示される。この結果、医師は９７年には撮影が無かったことを正しく判別することができる。但し、この受診者には更なる過去の検査画像が存在するので、モニタ１５の右上に「未表示画像有マーク」を表示している。
【００８１】
ユーザが診断用ＷＳ１のキーボード１６から画像表示切り替え指示を行うと、図１２の右側のように表示される。この表示方法は、先の説明でモニタ１５上の「９７年画像無」と表示される部分に、更に昔の検査で且つ最も新しい検査を入れる。即ち、本発明の実施の形態では９６年の検査を入れる。この時、医師が９７年の画像であると誤らないようにするために、大きな文字で「９６」と表示する必要がある。
【００８２】
上記図１２と同様の説明は図１３についても行うことができる。図１３は本発明の実施の形態に係る今回、前回検査表示方法２を示す説明図である。図１３の表示例は、診断用ＷＳ１のモニタ１５を４分割し、先ほどの受診者の検査画像を２つのモードで表示したものである。
【００８３】
尚、本発明の実施の形態では、検査画像を表示するモニタとして診断用ＷＳ１に装備された１台のモニタ１５の場合を例に挙げたが、検査画像を表示するモニタとして複数のモニタを診断用ＷＳ１に接続することも可能であり、本発明に何等差し障りが無いことは言うまでもない。
【００８４】
以上説明したように、本発明の実施の形態に係る集団検診システムによれば、診断用ＷＳ１の制御部１１は、複数回の検査のうちの所定の検査に関する検査画像が存在する場合は、モニタ１５の割り当て領域に所定の検査に関する検査画像を表示し、複数回の検査のうちの所定の検査に関する検査画像が存在しない場合は、モニタ１５の割り当て領域に検査画像を表示しない制御を行う。
【００８５】
また、受診者が所定期間をおいて受診した検査が複数回あり且つ最も最近の検査が存在する場合、モニタ１５の各々の割り当て領域に最も最近の検査に関する検査画像、それ以前の検査画像を表示する制御を行う。
【００８６】
また、モニタ１５の割り当て領域に表示されている検査画像以外に、それ以前の未表示の検査画像が存在する場合、未表示の検査画像が存在する旨を文字或いは記号で表示する制御を行う。
【００８７】
また、複数回の検査のうちの所定の検査に関する検査画像が存在しない場合、存在しない検査画像に対しては領域の割り当てを行わず、割り当てを行わない領域を所定の検査より以前の検査に関する検査画像を表示する領域として割り当て、該割り当て領域に所定の検査より以前の検査に関する検査画像とその旨を示す文字或いは記号を表示する制御を行う。
【００８８】
従って、検査が２回以上前の検査画像は表示しない、もしくは、検査が２回以上前の検査画像を表示する場合でも２回前の検査画像であることを明示する文字或いは記号などを併せて表示する等が可能となり、医師が各受診者の検査画像を読影する際に、モニタ１５に表示されている画像がいつ撮影されたものか、もしくは、前回は撮影が行われなかったのかなどを瞬時に判断することができ、診断効率を向上させることができるという効果を奏する。
【００８９】
［他の実施の形態］
上述した本発明の実施の形態においては、集団検診システムとして上記図１の構成を例に上げたが、本発明は、上記図１の構成の集団検診システムをネットワークを介して複数接続したシステムにも適用可能である。この場合は、大規模病院や集団検診センター等において、多数の医師が多数の検診実施企業の受診者の検査画像を並行して診断する場合などに好適である。
【００９０】
尚、本発明は、複数の機器から構成されるシステムに適用しても、１つの機器からなる装置に適用してもよい。上述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体等の媒体に格納されたプログラムコードを読み出し実行することによっても、達成されることは言うまでもない。
【００９１】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００９２】
また、コンピュータが読み出したプログラムコードを実行することにより、上述した実施形態の機能が実現されるだけでなく、そのプログラムコードの指示に基づき、コンピュータ上で稼働しているＯＳなどが実際の処理の一部または全部を行い、その処理によって上述した実施形態の機能が実現される場合も含まれることは言うまでもない。
【００９３】
更に、記憶媒体等の媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００９４】
図１５は本発明の画像表示方法を実行するプログラム及び関連データが記憶媒体から装置に供給される概念例を示す説明図である。本発明の画像表示方法を実行するプログラム及び関連データは、フロッピディスクやＣＤ−ＲＯＭ等の記憶媒体１５１をコンピュータ等の装置１５２に装備された記憶媒体ドライブ挿入口１５３に挿入することで供給される。その後、本発明の画像表示方法を実行するプログラム及び関連データを記憶媒体１５１から一旦ハードディスクにインストールしハードディスクからＲＡＭにロードするか、或いはハードディスクにインストールせずに直接ＲＡＭにロードすることで、当該プログラム及び関連データを実行することが可能となる。
【００９５】
この場合、本発明の実施の形態に係る集団検診システムにおいて本発明の画像表示方法を実行するプログラムを実行する場合は、例えば上記図１５を参照して説明したような手順で診断用ＷＳ１に当該プログラム及び関連データを供給するか、或いは診断用ＷＳ１に予め当該プログラム及び関連データを格納しておくことで、プログラム実行が可能となる。
【００９６】
図１４は本発明の画像表示方法を実行するプログラム及び関連データを記憶した記憶媒体の記憶内容の構成例を示す説明図である。記憶媒体は、例えばボリューム情報１４１、ディレクトリ情報１４２、プログラム実行ファイル１４３、プログラム関連データファイル１４４等の記憶内容で構成される。本発明の画像表示方法を実行するプログラムは、上述した各フローチャートに基づきプログラムコード化されたものである。
【０１０２】
【発明の効果】
以上説明したように、本発明によれば、読影の際に、表示手段に表示されている画像がいつ撮影されたものか、もしくは、前回は撮影が行われなかったのかなどを瞬時に判断でき、診断効率を向上させることができる。
【図面の簡単な説明】
【図１】本発明の実施の形態に係る集団検診システムの構成を示す概念図である。
【図２】本発明の実施の形態に係る集団検診システムの構成を示すブロック図である。
【図３】本発明の実施の形態に係る集団検診システムにおける画像データ複製を示す説明図である。
【図４】本発明の実施の形態に係る集団検診システムにおける画像データ複製を示す説明図である。
【図５】本発明の実施の形態に係る集団検診システムにおける画像データ複製処理を示すフローチャートである。
【図６】本発明の実施の形態に係る集団検診システムにおける画像データ複製処理を示すフローチャートである。
【図７】本発明の実施の形態に係る集団検診システムにおける画像データ複製処理を示すフローチャートである。
【図８】本発明の実施の形態に係る集団検診システムにおけるＭＯデータ消去処理を示すフローチャートである。
【図９】本発明の実施の形態に係る集団検診システムにおけるＭＯデータ消去処理を示すフローチャートである。
【図１０】本発明の実施の形態に係る集団検診システムにおける検査序数決定方法を示す説明図である。
【図１１】本発明の実施の形態に係る集団検診システムにおける検査序数決定処理を示すフローチャートである。
【図１２】本発明の実施の形態に係る集団検診システムにおける今回、前回検査表示方法１を示す説明図である。
【図１３】本発明の実施の形態に係る集団検診システムにおける今回、前回検査表示方法２を示す説明図である。
【図１４】本発明の画像表示方法を実行するプログラム及び関連データを記憶した記憶媒体の記憶内容の構成例を示す説明図である。
【図１５】本発明の画像表示方法を実行するプログラム及び関連データが記憶媒体から装置に供給される概念例を示す説明図である。
【図１６】従来例に係る今回、前回検査表示を示す説明図である。
【符号の説明】
１  診断用ＷＳ
２  ＭＯ読取装置
３  ＣＤ−Ｒ読取／書込装置
４  ＭＯ
５、６  ＣＤ−Ｒ
１１  制御部
１４  内部ＨＤ
１５  モニタ
１６  キーボード
【図１】
0003809332.tif 000002
【図２】
0003809332.tif 000003
【図３】
0003809332.tif 000004
【図４】
0003809332.tif 000005
【図５】
0003809332.tif 000006
【図６】
0003809332.tif 000007
【図７】
0003809332.tif 000008
【図８】
0003809332.tif 000009
【図９】
0003809332.tif 000010
【図１０】
0003809332.tif 000011
【図１１】
0003809332.tif 000012
【図１２】
0003809332.tif 000013
【図１３】
0003809332.tif 000014
【図１４】
0003809332.tif 000015
【図１５】
0003809332.tif 000016
【図１６】
0003809332.tif 000017